(57)【要約】      （修正有）【課題】革紐の端末部を収納して締め部に取り付けられる革紐カバーの提供。【解決手段】靴紐の端末部を収納して締め部に取付けられる靴紐カバー３であって、上下何れか一方の面縁部には紐通し孔４を設け、対向する面縁部には、紐又は小片バンドの引掛け部材を設けるとともに、面フアスナー６をそれぞれ両面の左右逆面縁部に備え、紐通し孔に対向する面縁部に設けられる紐７又は小片バンドの引掛け部材は、伸縮自在であることを特徴とした靴紐カバー。【選択図】図３
0003119036.tif 000002
【実用新案登録請求の範囲】
【請求項１】
靴紐の端末部を収納して締め部に取付けられる靴紐カバーであって、
上下何れか一方の面縁部には紐通し孔を設け、対向する面縁部には、紐または小片バンドの引掛け部材を設けるとともに、面フアスナーを、両面のそれぞれ左右逆面縁部に備えたことを特徴とする靴紐カバー。
【請求項２】
紐通し孔に対向する面縁部に設けられる紐または小片バンドの引掛け部材は、伸縮自在であることを特徴とする請求項１記載の靴紐カバー。
【考案の詳細な説明】
【技術分野】
【０００１】  本考案は、登山靴やトレッキングシューズ（軽登山靴）の紐端末部を収納して紐締め部に取付ける靴紐カバーに係り、靴紐を締め終えた時、余った紐をこのカバーに収納して歩行時の安全性の向上を図るものである。
【背景技術】
【０００２】  市販されている登山靴やトレッキングシューズ（軽登山靴）の紐は、何故か全てが長いため、足首に２重３重に回したり、或いは前面に大きな輪状を呈して結んだりして使用しているのが現状である。
しかしながら、自分用の長さに合わせ切断して使用しようとすると、金具等で端末部を解れ防止の別加工しなければならず、使用者が個々にこの別加工を行う事は容易な事ではない。
そこで、安易な解決策として、余った紐を丸めて絶縁テープで巻き付け使用している人が多く見られるようになってきた。
【考案の開示】
【考案が解決しようとする課題】
【０００３】  余った紐を丸めて絶縁テープを巻き付け使用する方法は、安易である反面、紐が緩んだ時や、登山道の下りにさしかかり紐を強めに締める場合、或いは逆に、上りに差し掛かり紐を緩めにする場合など、その都度テープを外しては、また巻き付けなければならず、この手間が意外に面倒であるなどの欠点がある。
しかしながら、余った紐を輪状に束ねて歩行する事は、木の根等に引掛けて転倒する原因ともなっており、何らかの対策が求められていた。
特に昨今、女性を含む中高年登山者数の増加も相まって、安全登山の見地からも中高年登山者が面倒無く使用できるものが求められて来ている。
【課題を解決するための手段】
【０００４】  靴紐の端末部を収納して締め部に取付けられる靴紐カバーであって、
上下何れか一方の面縁部には紐通し孔を設け、対向する面縁部には、紐または小片バンドの引掛け部材を設けるとともに、面フアスナーを、両面のそれぞれ左右逆面縁部に備え、また、紐通し孔に対向する面縁部に設けられる前記引掛け部材は、伸縮自在とした靴紐カバーで課題を解決するための手段としている。
【考案の効果】
【０００５】  本考案は、以上のような手段で課題を解決するものであるから次のような効果を奏するものである。
（１）靴紐カバーに一体的に取付けられる引掛け部材は、適宜位置の紐に引掛けて使用されるので、該紐カバーが回転したり持ち上がったりすること無く、定位置を保持する。
（２）前記引掛け部材は伸縮自在であるところから、靴の大小に関係無く使用できる。
（３）両面の、左右何れか一方の面縁部に面フアスナーを設けているので、靴紐を収納してこの紐カバーを巻き込んで、前記面フアスナー同士で接合着固定できるので、勝手にこの紐カバーは開くことなく従前の状態を維持する。
（４）上下何れか一方の面縁部には、紐通し孔を備えているので、最終部（最上部）に位置する紐を通してから紐を結べば、靴紐カバーは上下ばかりでなく左右にもすれること無く最適位置を保持する。
【考案を実施するための最良の形態】
【０００６】  本考案に係る靴紐カバーは、例えばゴアテックス（商標）などのような防水性に富む生地で作られるか、あるいは少なくともナイロン織布などの軽量で強靭な生地で作られることが望ましく、また、ＡＢ両面それぞれの逆面縁部に設けられる面フアスナーは、例えば、マジックテープ（商標）やベルクロテープ（商標）などのように、強力な接合着機能を有するものが使用されることで、より本考案の効果が発揮される。【０００７】  加えて、輪状を呈する紐を金具でカバー体に一体的に取付ける実施例にあっては、
取付け部に解れ防止加工が施されるとともに、何れの実施例でも、いずれか一方の面縁部に設けられる紐通し孔は２個並列に設けられることが最適である。【０００８】  このように本考案は、靴紐の端末部を収納して締め部に取付けられる靴紐カバーであって、上下何れか一方の面縁部には紐通し孔を設け、対向する面縁部には、紐または小片のバンドの引掛け部材を設けるとともに、面フアスナーを、両面のそれぞれ左右逆面縁部に備えたことを特徴としている。【０００９】  さらに、靴紐カバーに一体的に取付けられる紐または小片バンドの引掛け部材は伸縮自在とし、本考案を実施するための最良の形態手段としている。
【実施例】
【００１０】  本考案の実施例を図面に基づき説明する。
本考案は、図１に示したような登山靴やトレッキングシューズ（軽登山靴）１の紐締め部２に、紐９の端末部を収納して取付けられる靴紐カバー３であって、Ａ面とＢ面とから構成されている。【００１１】  図２はＡ面の構成を説明するもので、図中破線は縫製を示していて、片方の面縁部には例えば、マジックテープ（商標）やベルクロテープ（商標）等の面テープ６が設けられ、上下の何れか一方の面縁部には紐通し孔４が２個設けられ、該孔と対向する面縁部には金具５が一体的に設けられている。【００１２】  図３は図２の反対面であるＢ面の構成を説明するもので、図中破線は縫製を示していて、左右の片方面縁部でＡ面に設けられた位置とは逆位置に、Ａ面の面テープ６と接合着される面テープ８が取付けられ、該面テープはＡ面に設けられたものと同等品が用いられる。
また、面上下の片方の縁部には紐通し孔４が２個Ａ面から貫通設されていて、対向する縁部には、金具５によって輪状を呈する伸縮自在な引っ掛け部材の紐７が一体的に設けられている。【００１３】  この引っ掛け部材の紐７は、靴紐の下方（つま先部方向）、適宜位置の紐に回し込んで前記金具に引っ掛けて固定されるものである。【００１４】  図４は後記する図５図６の実施例を含み、本考案の靴紐カバー３を図１の登山靴の紐締付け部２に使用した例を示したもので、引掛け部材を下方の紐に引掛け、靴紐の上方を紐通し孔４に通し、余った紐を全て収納して紐カバー３を丸め、Ａ面とＢ面の面テープを接合着させたものである。【００１５】  図５は、図２図３を実施例１とすれば実施例２と言えるもので、本図ではそのＡ面を説明している。図中破線は縫製を示していて、左右いずれか一方の面縁部には実施例１同様にマジックテープ（商標）やベルクロテープ（商標）等の面テープ１１が設けられ、面上下の片方面縁部には紐通し孔１２が２個設けられ、該孔と対向する面縁部には靴紐を巻き込む面テープを備えた伸縮自在な引掛け部材の小片バンド１４が一体的に設けられるとともに、この小片バンド１４が備えた面テープと接合着される面テープ１３を備えた接合片が、前記引掛け部材の小片バンド１４の基部に設けられている。【００１６】  図６は、図５の反対面に当たるＢ面を説明するもので、図５と同様に図中破線は縫製を示していて、符号１２で示された孔はＡ面から貫通設されている紐通し孔１２であって、符号１５は、本案の靴紐カバー３が紐を収納して巻き込んだ時、Ａ面の面テープ１１と接合着される面テープである。したがってこの面テープ１５は、前記面テープ１１とはその取付け面が異なり且つ、反対の面縁部に位置している。
【産業上の利用可能性】
【００１７】  本考案の靴紐カバーは、以上説明のような構成を有するものであるから、その使用は簡単であり、余分な紐は全てカバーに収納されるので、木の根に紐が引っ掛かって転倒する等の事故を未然に防ぐことができ、安全登山の向上に寄与する有意義な考案である。
また、その取り付け方が簡便であるばかりでなく、一旦取付けた後、紐の緩めや締め付けを求められても容易に求めに応じることが出来るので、中高年登山者でも苦労無く使用できる紐カバーである。更に、本考案の靴紐カバーは製造上何らの技術的な問題点も無いので、産業上の利用可能性は大いに期待できる。
【図面の簡単な説明】
【００１８】
【図１】本考案が使用される登山靴やトレッキングシューズを説明する図である。
【図２】本考案実施例１の、Ａ面の構成を説明する図である。
【図３】本考案実施例１の、Ｂ面の構成を説明する図である。
【図４】本考案の紐カバーを使用した登山靴を説明する図である。
【図５】本考案実施例２の、Ａ面の構成を説明する図である。
【図６】本考案実施例２の、Ｂ面の構成を説明する図である。
【符号の説明】
【００１９】１靴    ２紐締付け部    ３靴紐カバー    ４，１２紐通し孔    ５金具
６，８，１１，１３，１５面テープ    ７紐      ９靴紐      １４小片バンド
【図１】
0003119036.tif 000003
【図２】
0003119036.tif 000004
【図３】
0003119036.tif 000005
【図４】
0003119036.tif 000006
【図５】
0003119036.tif 000007
【図６】
0003119036.tif 000008